(57)【要約】【課題】  親局装置が子局装置に対して通報情報を無線により送信し、子局装置が親局装置から受信した通報情報を記憶する無線通信システムで、子局装置が通報情報の重要度に応じて記憶の態様を制御する。【解決手段】  親局装置１では、重要度情報無線送信手段が通報情報に関する重要度情報を通報開始指示情報に付加して子局装置に対して無線送信し、通報情報無線送信手段が通報情報を子局装置に対して無線送信する。子局装置３〜７では、重要度情報受信手段が親局装置から無線送信される重要度情報を受信し、通報情報受信手段が親局装置から無線送信される通報情報を受信し、通報情報記憶手段が重要度情報受信手段により受信される重要度情報に基づいて通報情報受信手段により受信される通報情報を重要度が高いものを優先させて記憶する。【選択図】  図１
2005244484.tif 000002
【特許請求の範囲】
【請求項１】
親局装置が子局装置に対して通報情報を無線により送信し、子局装置が親局装置から受信した通報情報を記憶する無線通信システムにおいて、
親局装置は、通報情報に関する重要度情報を通報開始指示情報に付加して子局装置に対して無線送信する重要度情報無線送信手段と、
通報情報を子局装置に対して無線送信する通報情報無線送信手段と、を備え、
子局装置は、親局装置から無線送信される重要度情報を受信する重要度情報受信手段と、
親局装置から無線送信される通報情報を受信する通報情報受信手段と、
重要度情報受信手段により受信される重要度情報に基づいて、通報情報受信手段により受信される通報情報を、重要度が高いものを優先させて記憶する通報情報記憶手段と、を備えた、
ことを特徴とする無線通信システム。
【発明の詳細な説明】
【技術分野】
【０００１】
本発明は、親局装置から子局装置へ通報情報を無線により送信する無線通信システムに関し、特に、子局装置において通報情報の重要度に応じて記憶の態様や再生の態様を制御する技術に関する。
【背景技術】
【０００２】
例えば、市町村デジタル同報通信システムや防災行政無線システムなどの同報無線システムでは、親局装置から子局装置へ音声の一斉指令を発し、子局装置が当該音声を録音することや再生することが行われている（例えば、非特許文献１参照。）。
図５（Ａ）、（Ｂ）を参照して、同報無線システムに備えられる子局装置である戸別受信機による同報通信の録音機能や再生機能を説明する。
すなわち、同報無線システムの戸別受信機では、自機宛ての同報通信を受信すると、自機の外部スピーカに拡声音声を出力すると同時に自機内の蓄積部に当該同報通信内容を録音する。ここで、戸別受信機が自機内に通報内容を録音するか否かの判断は、一般的には同報通信の種別により行われ、一例として、同報通信の種別が緊急一括通報或いは個別通報である場合には録音し、一括通報である場合には録音しない、等の態様が用いられる。蓄積部では、先頭から同報通信を受信した順番に通報内容が書き込まれる。
【０００３】
具体的に、図５（Ａ）に示される蓄積部では、通報内容Ａ、通報内容Ｂ、通報内容Ｃの順に受信されて蓄積されている。なお、通報内容Ｂ、通報内容Ｃ、通報内容Ａの順に重要度が高いとする。
このように蓄積部が一杯になった場合には、図５（Ｂ）に示されるように、新たに通報内容Ｄを受信して録音する際には、最も古い通報内容Ａを消去し、新しい通報内容Ｄが書き込まれる。また、通報内容Ｄの録音時間が通報内容Ａよりも長い時には、続いて通報内容Ｂを消去して通報内容Ｄの残りの部分が書き込まれる。なお、通報内容Ｂ、通報内容Ｄ、通報内容Ｃ、通報内容Ａの順に重要度が高いとする。
【０００４】
また、録音内容を再生する場合には、例えばユーザが戸別受信機の再生ボタンを押下すると、最も新しい（最新の）録音内容が再生され、再び再生ボタンを押下すると、一つ前の録音内容が再生される。具体的には、図５（Ａ）では、通報内容Ｃ、通報内容Ｂ、通報内容Ａの順に再生され、また、図５（Ｂ）では、通報内容Ｄ、通報内容Ｃの順に再生される。
以上のように、同報無線システムにおける戸別受信機の同報通信録音再生方式では、例えば、録音すべき内容の重要度に関係なく上書き保存され、且つ、録音された各通報内容の重要度に関係なく再生されていた。
なお、重要度に基づくＩＣメモリの録音制御方式や、優先度に基づく情報記録再生装置も検討等されていた（例えば、特許文献１、２参照。）。
【０００５】
【特許文献１】特開２０００−２５０５９５号公報
【特許文献２】特開平１１−６６６９４号公報
【非特許文献１】「市町村デジタル同報通信システム  推奨規格（案）」、財団法人電波産業会、平成１５年３月
【発明の開示】
【発明が解決しようとする課題】
【０００６】
しかしながら、上述のような同報無線システムにおける戸別受信機による同報通信録音再生機能では、例えば、録音すべき内容の重要度に関係なく上書きされていたたため、極めて重要な内容が上書きされてしまい、再生することができなくなってしまうといった問題があった。特に、防災情報などのように、情報の欠落を生じずに通報することが必要な情報については、このような問題が大きかった。また、上述のように、情報の重要度についての検討等があったが、未だに不十分な点もあり、更なる開発が要求されている。
本発明は、このような従来の事情に鑑み為されたもので、子局装置が親局装置からの通報情報の重要度に応じて記憶の態様を効果的に制御することができる無線通信システムを提供することを目的とする。また、子局装置が親局装置からの通報情報の重要度に応じて再生の態様を効果的に制御することができる無線通信システムについても検討する。
【課題を解決するための手段】
【０００７】
上記目的を達成するため、本発明に係る無線通信システムでは、次のようにして、親局装置が子局装置に対して通報情報を無線により送信し、子局装置が親局装置から受信した通報情報を記憶する。
すなわち、親局装置では、重要度情報無線送信手段が通報情報に関する重要度情報を通報開始指示情報に付加して子局装置に対して無線送信し、通報情報無線送信手段が通報情報を子局装置に対して無線送信する。
また、子局装置では、重要度情報受信手段が親局装置から無線送信される重要度情報を受信し、通報情報受信手段が親局装置から無線送信される通報情報を受信し、そして、通報情報記憶手段が、重要度情報受信手段により受信される重要度情報に基づいて、通報情報受信手段により受信される通報情報を、重要度が高いものを優先させて記憶する。
従って、子局装置では、例えば通報情報に先立って親局装置から無線送信される当該通報情報の重要度情報に基づいて当該通報情報の記憶の態様を制御することができ、これにより、親局装置からの通報情報の重要度に応じて記憶の態様を効果的に制御することができる。
【０００８】
ここで、通報情報としては、種々な情報が用いられてもよく、例えば、音声情報を用いることができ、通報情報の記憶としては音声情報の録音が行われる。また、音声情報としては、例えば、人（通報者）の声の情報などを用いることができる。
また、通報情報に関する重要度情報としては、種々な情報が用いられてもよく、例えば、通報情報が重要な情報であるか或いは重要ではない情報であるかを示す情報や、或いは、通報情報の重要度の度合いを数値などで示す情報などを用いることができる。
また、通報開始指示情報としては、種々な情報が用いられてもよく、例えば、通報情報の送信を開始する旨を親局装置から子局装置へ指示するような情報が用いられる。
また、通報開始指示情報や、重要度情報や、通報情報は、例えば、親局装置から複数の子局装置に対して同報的に送信される。
一例として、親局装置は、重要度情報を無線送信した後に、当該重要度情報に対応した通報情報を無線送信する。この場合、子局装置は、重要度情報を受信した後に、当該重要度情報に対応した通報情報を受信する。例えば、子局装置は、重要度情報を受信したことに応じて通報情報の記憶態様（例えば、記憶するか否か、いずれの記憶領域に記憶するか、既に記憶されたいずれの通報情報を消去するか、既に記憶されたいずれの通報情報の上に記憶（上書き）するか、など）を決定する処理を開始し、これにより、通報情報を受信したら素早く当該決定した記憶態様による処理（記憶しない場合を含む）を行う。
一例として、親局装置は、各同報通信毎に、重要度情報を付加する。例えば、各同報通信毎に、重要度情報が付加された通報開始指示情報や、通報情報を送信する。
【０００９】
また、子局装置において、重要度が高いものを優先させて通報情報を記憶する態様としては、種々な態様が用いられてもよい。
一例として、子局装置の通報情報記憶手段は、通報情報を記憶するメモリ手段を有しており、通報情報を記憶するに際して、メモリ手段の記憶領域に当該通報情報を記憶するために十分な空きが存在する場合には当該空きに当該通報情報を記憶し、メモリ手段の記憶領域に当該通報情報を記憶するために十分な空きが存在しない場合には、メモリ手段の記憶領域に記憶された通報情報の中から、記憶対象となる通報情報の重要度より低い重要度の通報情報を消去して、当該消去により生成された空きに当該記憶対象となる通報情報を記憶する。また、例えば、重要度が低い通報情報を優先させてメモリ手段から消去する。また、例えば、記憶対象となる通報情報の重要度より低い重要度の通報情報がメモリ手段に記憶されていない場合には、当該記憶対象となる通報情報を記憶せずに破棄する。
また、一例として、子局装置の通報情報記憶手段は、通報情報を記憶するに際して、メモリ手段の記憶領域に当該通報情報を記憶するために十分な空きが存在しない場合には、メモリ手段の記憶領域に記憶された通報情報の中から、重要度が低い通報情報を優先させて消去して、当該消去により生成された空きに当該記憶対象となる通報情報を記憶する。
また、例えば、各通報情報毎に重要度が定められ、メモリ手段では、各通報情報毎に対応する重要度情報が付加されて記憶される。
【００１０】
以下で、更に、無線通信システムに関する構成例を示す。
一構成例として、親局装置から受信した通報情報を記憶し、記憶した通報情報を再生する子局装置において、親局装置から無線送信される通報情報を受信する通報情報受信手段と、親局装置から無線送信される通報情報の重要度情報を受信する重要度情報受信手段と、通報情報受信手段により受信される通報情報をメモリ手段に記憶する通報情報記憶手段と、通報情報記憶手段に複数の通報情報が記憶されている場合に重要度が高いものを優先させて通報情報を再生する通報情報再生手段と、を備える。
従って、子局装置において、親局装置からの通報情報の重要度に応じて再生の態様を効果的に制御することができる。
ここで、子局装置において、重要度が高いものを優先させて通報情報を再生する態様としては、種々な態様が用いられてもよく、例えば、重要度が高い順に通報情報を順次再生する態様を用いることができる。
【００１１】
一構成例として、親局装置は、子局装置への通報情報の重要度を設定する重要度設定手段を備える。
従って、親局装置において、例えば人（通報者）などにより通報情報の重要度を設定することが可能である。
ここで、重要度設定手段は、例えば人により操作されて、通報情報の重要度を設定する。
また、重要度設定手段は、例えば、通報情報に関する情報と共に、当該通報情報に対して設定された重要度を提示する情報提示手段を有する。一例として、情報提示手段は、情報を表示する画面から構成される。
一構成例として、親局装置は、親局無線送受信装置、操作卓、副制御部、自動プログラム送出装置の１以上を含む。
一構成例として、子局装置は、戸別受信機、或いは、屋外子局装置から構成される。
一構成例として、親局装置と子局装置との間の通信を無線中継する中継局装置を備える。
例えば、無線通信システムは、アナログ或いはデジタルの同報無線システム、固定系システム、市町村デジタル同報通信システム、防災行政無線システムなどに適用される。
【発明の効果】
【００１２】
以上説明したように、本発明に係る無線通信システムによると、親局装置では、通報情報に関する重要度情報を通報開始指示情報に付加して子局装置に対して無線送信し、通報情報を子局装置に対して無線送信し、また、子局装置では、親局装置から無線送信される重要度情報を受信し、親局装置から無線送信される通報情報を受信し、そして、当該重要度情報に基づいて当該通報情報を重要度が高いものを優先させて記憶するようにしたため、子局装置では親局装置からの通報情報の重要度に応じて記憶の態様を効果的に制御することができる。
また、例えば、子局装置では、親局装置から無線送信される通報情報を受信し、親局装置から無線送信される通報情報の重要度情報を受信し、当該通報情報をメモリに記憶し、そして、メモリに複数の通報情報が記憶されている場合に重要度が高いものを優先させて通報情報を再生することにより、親局装置からの通報情報の重要度に応じて再生の態様を効果的に制御することができる。
【発明を実施するための最良の形態】
【００１３】
本発明に係る一実施例を図面を参照して説明する。
本実施例では、災害時などに行政機関などから住民へ災害関連情報等を告知する同報無線システムや、このような同報無線システムの通信機器や通信方法に、本発明を適用した場合を示す。
また、本実施例では、固定系デジタル無線システムに、本発明を適用した場合を示す。具体的には、本実施例では、固定系デジタルの同報無線システムにおいて、子局装置である戸別受信機が、親局装置であるセンター局からの音声通報を受信して録音や再生する場合を示す。
なお、固定系デジタル無線システムは、例えば、デジタル無線系のみから構成されてもよく、或いは、デジタル無線系とアナログ無線系との両方が混在するように構成されてもよい。ここで、アナログ無線系は、例えば図１に示されるような本例のデジタル無線系と同様なシステムとして構成することが可能であり、例えば、操作卓１１からアナログ系に接続することができるようにする。
また、本実施例では、子局装置として、戸別受信機を示すが、屋外子局装置などの他の装置が用いられてもよい。
【００１４】
図１には、本例のデジタル無線通信方式の同報無線システムの構成例として、親局装置である１個のセンター局１と、子局装置である複数個の戸別受信機３〜７と、１個の中継局２を示してある。ここで、本例の同報無線システムでは、一部の戸別受信機３〜５は中継局２を介してセンター局１と無線通信するように設定されており、他の戸別受信機６、７は中継局２を介さずにセンター局１と直接的に無線通信するように設定されている。
センター局１は、操作を行うための操作卓１１と、ユーザにより操作される副制御部１２と、自動的に処理を実行するための自動プログラム送出装置１３と、無線により信号を送信や受信する親局無線送受信装置１４を備えている。このように、本例では、操作卓１１及び周辺機器１２、１３と親局無線送受信装置１４によりセンター局１が構成されている。
中継局２は、例えば、２架構成であり、具体的には、センター局１との間で無線通信を行う装置（対センター局装置）と、戸別受信機３〜５との間で無線通信を行う装置（対受信機装置）とを接続して構成されている。
各戸別受信機３〜７は、センター局１或いは中継局２との間で無線通信を行う機能や、受信した情報を記憶するためのＩＣメモリなどのメモリから成る蓄積部や、蓄積部への情報の記憶を実行する機能や、蓄積部からの情報の再生を実行する機能を有している。
【００１５】
本例のデジタル同報無線システムでは、通報機能として、センター局１に設置された自動プログラム送出装置１３に組まれたプログラム及び録音内容により操作卓１１を自動で繰作して通報を実行する自動通報機能と、扱者（ユーザ）が操作卓１１及び副制御部１２を手動で操作して通報を実行する手動通報機能との二種類が存在する。
図２には、センター局１の自動プログラム送出装置１３に組まれた通報プログラムのテーブルの一例を示してある。
具体的には、それぞれの通報プログラムは、通報の番号（通報Ｎｏ）と、通報の種別（通報種別）と、通報の時刻（通報時刻）と、通報の内容（通報内容）と、通報の重要度を示す情報（重要度情報）を対応させて構成されている。通報Ｎｏとしては“１”、“２”、“３”、・・・といった番号を示す情報が用いられており、通報種別としては“自動通報”や“緊急通報”を示す情報が用いられており、通報時刻としては“〜年〜月〜日〜時〜分〜秒”を示す情報が用いられており、通報内容としては通報する音声の情報“Ａ”、“Ｂ”、“Ｃ”、・・・が用いられており、重要度情報としては重要度を表す“２”、“１０”、“４”、・・・といった数値を示す情報が用いられている。ここで、本例の重要度情報では、数値が大きいほど重要度が高く重要であるとする。なお、例えば、再送時刻の情報などのように他の情報が通報プログラムに含められてもよい。
【００１６】
このように、図２に示されるテーブルでは、自動プログラム送出装置１３の自動通報機能による自動通報プログラムが時系列で並べられている。また、図２に示されるテーブルでは、説明の便宜上から、副制御部１２の手動通報機能の操作により登録済みである緊急通報であって自動通報に割り込んで実行した緊急通報のプログラムを示してある。
また、上記のように、図２に示されるテーブルでは、各自動通報毎及び各手動通報毎に、重要度情報を格納するエリアが存在しており、自動通報の設定時に予め通報内容の重要度情報を設定しておくことや、手動通報の設定時に通報内容の重要度情報を設定することが、例えばユーザにより行われる。
【００１７】
図３には、操作卓１１の副制御部１２の操作画面などの一例を示してある。
本例の手動通報では、操作卓１１の副制御部１２の操作画面において、通報呼出前に当該通報（図３の例では、緊急一括通報）の重要度の情報を設定する設定部（重要度設定部）２１が設けられており、これにより例えばユーザは当該通報内容の重要度情報を通報呼出前に設定する。このようにして、各通報の重要度情報を設定することができる。
なお、図３に示される副制御部１２の操作画面では、“一括”などの“呼出種別”を選択して設定するための設定部や、“音声”などの“伝送種別”を選択して設定するための設定部や、“大”などの“屋外音量”を選択して設定するための設定部や、“１０”などの“重要度情報”を選択して設定するための設定部２１や、“呼出”を実行するための設定部（呼出ボタン）が表示されており、ユーザにより操作することが可能となっている。
このように、本例の操作画面では、通報内容の指令と共に、重要度の値が表示され、ユーザは、重要度を選択した後に呼出ボタンをクリック等する。そして、例えば、重要度が高い（或いは低い）情報である旨を表示し、通報内容そのものの放送（或いは、再送）である旨の表示をして、放送（或いは、再送）を行っていることを示す。
【００１８】
次に、センター局１において、自動通報機能や手動通報機能により親局無線送受信装置１４が起動されたときの動作の一例を示す。
例えば、デジタル同報無線システムにおける音声通報を行う場合には、通常、センター局１から戸別受信機３〜７へ向けてＰＣＨ（Paging Channel）通報開始指示電文を送出する。本例の親局無線送受信装置１４は、このようなＰＣＨ通報開始指示電文上に通報内容の重要度を示す情報（重要度情報）を付加して戸別受信機３〜７へ伝え、そして、通報内容を伝える。これにより、各戸別受信機３〜７は、通報内容の受信に先立って、予めＰＣＨ通報開始指示電文を受信することにより、当該通報内容の重要度を事前に検知することができる。
なお、各戸別受信機３〜７は、センター局１から無線送信されるＰＣＨ通報開始指示電文や、通報内容の音声情報を含む通報音声電文を、中継局２を介して或いは直接的に、受信する。
【００１９】
図４（Ａ）、（Ｂ）を参照して、戸別受信機３〜７が重要度情報に基づいて通報内容の録音や再生を制御する処理の一例を示す。
図４（Ａ）に示されるように、戸別受信機３〜７では、通報内容Ａ、通報内容Ｂ、通報内容Ｃの順に受信されて、当該戸別受信機３〜７の内部の蓄積部に、これらの通報内容Ａ、Ｂ、Ｃが既に録音されているとし、当該蓄積部が一杯になっているとする。ここで、本例の蓄積部では、各通報内容Ａ、Ｂ、Ｃの先頭には、当該各通報内容Ａ、Ｂ、Ｃの重要度情報を格納するエリア（領域）３１〜３３が設けられており、各通報内容Ａ、Ｂ、Ｃの先頭に重要度情報が付加されて蓄積されている。なお、重要度が高い方から順に、通報内容Ｂの重要度情報は“１０”であり、通報内容Ｃの重要度情報は“４”であり、通報内容Ａの重要度情報は“２”である。
【００２０】
このような蓄積部の状態において、新たに通報内容Ｄを録音する際には、センター局１からの同報通信による通報内容Ｄを受信する前に、予めセンター局１からのＰＣＨ通報開始指示電文上に付加されてきた重要度情報に基づいて当該通報内容Ｄの重要度を判断する。本例では、通報内容Ｄの重要度情報は“５”であるとする。
この場合、図４（Ｂ）に示されるように、蓄積部では、既に蓄積されている通報内容Ａ、Ｂ、Ｃの中から、新たな通報内容Ｄの重要度よりも低い重要度を有する通報内容（本例では、重要度が最も低い通報内容Ａ）を消去し、当該新たな通報内容Ｄが書き込まれる。また、通報内容Ｄの録音時間が通報内容Ａよりも長いときには、次に重要度の低い通報内容Ｃを消去して、通報内容Ｄの残りが書き込まれる。これにより、重要度が通報内容Ｄより高いことが示されている通報内容Ｂについては、上書きや消去されずにそのまま残すように制御される。また、例えば、新たな通報内容Ｄの重要度が既に録音されている通報内容Ａ、Ｂ、Ｃより低い場合には、新たな通報内容Ｄは録音されない。なお、蓄積部では、通報内容Ｄについても、重要度情報を格納するエリア３４が設けられる。
【００２１】
また、戸別受信機３〜７において、蓄積部に保存された通報内容を再生する場合には、保存された各通報内容の先頭エリアに付加された重要度情報を参照して、最も重要度の高い通報内容から順番に再生する。具体的には、図４（Ａ）では、通報内容Ｂ、通報内容Ｃ、通報内容Ａの順に再生され、また、図４（Ｂ）では、通報内容Ｂ、通報内容Ｄの順に再生される。
【００２２】
以上のように、本例の同報無線システムでは、操作卓１１や親局無線送受信装置１４から構成される親局装置であるセンター局１と、中継局２と、戸別受信機３〜７或いは屋外子局装置から構成される子局装置（端末局装置）を備え、センター局１から戸別受信機３〜７などに対して同報通信を実行する場合に、センター局１は各同報通信毎に重要度情報を付加し、各戸別受信機３〜７などは、通報内容の受信と同時に当該通報内容を自機へ録音するに際して、各同報通信（各通報内容）毎の重要度情報に基づいて通報内容の録音方法を制御する。
また、本例の同報無線システムでは、各戸別受信機３〜７などは、重要度情報に基づいて録音した複数の通報内容を再生するに際して、重要度の高い通報内容から順番に再生する。
【００２３】
具体的には、センター局１は、各同報通信の開始時に戸別受信機３〜７などに対して同報通信の開始を示すＰＣＨ通報開始指示電文を送信する際に、その後に続く当該同報通信により通知される通報内容の重要度を示す情報を付加しておき、当該通報内容の送信に先立って当該重要度情報を予め戸別受信機３〜７などへ伝えておく。
また、各戸別受信機３〜７などは、センター局１から各同報通信の通報内容を受信する前にその重要度情報を受信し、当該通報内容を自機へ優先して保存するか否かを判断する。そして、各戸別受信機３〜７などでは、通報内容を録音する際には、各通報内容にそれぞれの重要度を示す情報を付加して蓄積し、蓄積部がフル（一杯）になったときには重要度情報が低い通報内容部分から順に消去して新たな通報内容を上書きしていく。例えば、受信した重要度情報に基づいて、受信した音声のうち重要度の高い通報内容と低い通報内容とを識別し、蓄積部へ上書き録音する際には、録音対象となる通報内容に対して重要度のより高い録音内容には上書きをせず、重要度のより低い録音内容だけに上書きをするように制御する。
また、各戸別受信機３〜７などは、再生時において、自機に保存されている通報内容のうち優先度の高い通報内容から順番に再生する。
【００２４】
従って、本例の同報無線システムでは、各戸別受信機３〜７などにおいて、重要度の高い通報内容を優先的に録音することが可能となり、例えば、重要度の高い通報内容を重要度の低い通報内容により上書きしないように制御することにより、重要度の高い録音内容が上書きや消去されてしまうことを防止することができる。
また、本例の同報無線システムでは、各戸別受信機３〜７などにおいて、再生時に重要度の高い通報内容を優先して再生することができ、例えば、録音された通報内容を再生する際に、重要度の高い通報内容から順番に再生することが可能である。
このように、本例の同報無線システムでは、各戸別受信機３〜７などにおいて、重要度の高い通報内容を優先的に録音や再生することができ、例えば、録音時に重要な情報の欠落を防止することや、再生時に重要な情報を素早く人（ユーザ）に知らせることができる。
【００２５】
なお、本例では、センター局１の装置により親局装置が構成されており、各戸別受信機３〜７の装置により子局装置が構成されている。
また、本例では、同報通信される音声の情報により通報情報が構成されており、通報情報の重要度を数値で表した情報により重要度情報が構成されており、ＰＣＨ通報開始指示電文の情報により通報開始指示情報が構成されている。
また、本例のセンター局１では、親局無線送受信装置１４が操作卓１１や副制御部１２や自動プログラム送出装置１３により設定された重要度情報をＰＣＨ通報開始指示電文に付加して無線送信する機能により重要度情報無線送信手段が構成されており、親局無線送受信装置１４が操作卓１１や副制御部１２や自動プログラム送出装置１３により設定された通報内容（音声情報）を無線送信する機能により通報情報無線送信手段が構成されており、操作卓１１や副制御部１２や自動プログラム送出装置１３により重要度情報を設定する機能により重要度設定手段が構成されており、副制御部１２の画面により情報を提示する機能により情報提示手段が構成されている。
また、本例の各戸別受信機３〜７では、センター局１からの重要度情報を受信する機能により重要度情報受信手段が構成されており、センター局１からの通報内容（音声情報）を受信する機能により通報情報受信手段が構成されており、重要度が高い通報内容を優先させて記憶する機能により通報情報記憶手段が構成されており、通報内容を録音するメモリの機能によりメモリ手段が構成されており、重要度が高い通報内容を優先させて再生する機能により通報情報再生手段が構成されている。
【００２６】
ここで、本発明に係る無線通信システムや親局装置や子局装置や中継局装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々な装置やシステムとして提供することも可能である。
また、本発明の適用分野としては、必ずしも以上に示したものに限られず、本発明は、種々な分野に適用することが可能なものである。例えば、音声の情報を通信するものばかりでなく、テキストや画像などの種々な情報を通信するものに適用することも可能である。また、例えば、通報開始指示情報に重要度情報を付加する態様ばかりでなく、通報情報より前に当該通報情報に関する重要度情報を単独で或いは任意な情報と共に親局装置から子局装置へ送信するようなものに適用することも可能である。また、例えば、通報情報より後に当該通報情報に関する重要度情報を単独で或いは任意な情報と共に親局装置から子局装置へ送信するようなことも可能である。
【００２７】
また、本発明に係る無線通信システムや親局装置や子局装置や中継局装置などにおいて行われる各種の処理としては、例えばプロセッサやメモリ等を備えたハードウエア資源においてプロセッサがＲＯＭ（Read Only Memory）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Compact Disc）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００２８】
【図１】本発明の一実施例に係る同報無線システムの構成例を示す図である。
【図２】通報プログラムのテーブルの一例を示す図である。
【図３】副制御部により重要度情報を設定する画面の一例を示す図である。
【図４】（Ａ）及び（Ｂ）は本発明の一実施例に係る戸別受信機により通報内容を録音や再生する態様の一例を説明するための図である。
【図５】（Ａ）及び（Ｂ）は戸別受信機により通報内容を録音や再生する態様の一例を説明するための図である。
【符号の説明】
【００２９】
１・・センター局、  ２・・中継局、  ３〜７・・戸別受信機、  １１・・操作卓、  １２・・副制御部、  １３・・自動プログラム送出装置、  １４・・親局無線送受信装置、  ２１・・重要度設定部、  ３１〜３４・・重要度情報エリア、
【図１】
2005244484.tif 000003
【図２】
2005244484.tif 000004
【図３】
2005244484.tif 000005
【図４】
2005244484.tif 000006
【図５】
2005244484.tif 000007